(57)【要約】【課題】  分離結合物体で、ペットに噛む動作だけではなく、ちぎり動作、壊す動作等を行わすことができるようにする。【解決手段】  ペットが噛み付き可能な物体Ａを複数個の分割体Ａ１、Ａ２で構成し、各分割体Ａ１、Ａ２の分割面１ｐ、２ｐを合わせて結合する結合手段３を設ける。前記結合手段３は、一方の分割体Ａ１の分割面１ｐと交差する外周面１ｆに設けた結合受体５と、他方の分割体Ａ２の外周面２ｆから一方の分割体Ａ１の外周に突出していて前記結合受体５と結合する結合舌片６とを有する。【選択図】図１
2019092479.tif 000002
【特許請求の範囲】
【請求項１】
ペットが噛み付き可能な物体（Ａ）を複数個の分割体（Ａ１、Ａ２）で構成し、各分割体（Ａ１、Ａ２）の分割面（１ｐ、２ｐ）を合わせて結合する結合手段（３）を設けたペット用玩具であって、
前記結合手段（３）は、一方の分割体（Ａ１）の分割面（１ｐ）と交差する外周面（１ｆ）に設けた結合受体（５）と、他方の分割体（Ａ２）の外周面（２ｆ）から一方の分割体（Ａ１）の外周に突出していて前記結合受体（５）と結合する結合舌片（６）とを有することを特徴とするペット用玩具。
【請求項２】
前記結合受体（５）は一方の分割体（Ａ１）の表裏の外周面（１ｆ）にそれぞれ１又は複数設けられ、前記結合舌片（６）は結合受体（５）に対向して他方の分割体（Ａ２）の表裏の外周面（２ｆ）から突設されていることを特徴とする請求項１に記載のペット用玩具。
【請求項３】
前記他方の分割体（Ａ２）の表裏各面から一方の分割体（Ａ１）の表裏各面に突出する取付部（７）が設けられ、この取付部（７）に複数の結合舌片（６）が取り付けられていることを特徴とする請求項２に記載のペット用玩具。
【請求項４】
前記複数個の分割体（Ａ１、Ａ２）の少なくとも１個の内部に、外力を受けて音を発生する音発生体（８）が設けられていることを特徴とする請求項１〜３のいずれか１項に記載のペット用玩具。
【発明の詳細な説明】
【技術分野】
【０００１】
本発明は、犬等のペット動物が噛み付いて楽しむことのできるペット用玩具に関する。
【背景技術】
【０００２】
縄片、又は網片などの紐片部材をペットの噛みものとして形成したペット用玩具であって、上記紐片部材に、生分解樹脂部材を補助的に具備し、前記生分解樹脂部材を、前記紐片部材を挿通可能な環状に形成し、前記生分解樹脂部材に上記紐片部材を挿通し、該紐片部材における長さ方向の各端側に、結紐部を形成して、上記紐片部材を、上記生分解樹脂部材を保持可能なボーン型にしている（請求項１，２）。
【先行技術文献】
【特許文献】
【０００３】
【特許文献１】実用新案登録第３１１０００１号公報
【発明の概要】
【発明が解決しようとする課題】
【０００４】
前記従来技術は、ペットの自発的、且つ、継続的に惹きつけるとともに、噛む動作を誘発し、遊びを通じてストレス発散効果も得ることができるが、ペットが本能的に持っている噛みちぎり動作、壊す動作、狩猟動作等を行うには満足のいくものではない。
本発明は、このような従来技術の問題点を解決できるようにしたペット用玩具を提供することを目的とする。
【０００５】
本発明は、ペットが噛み付き可能な物体を複数個の分割体で構成しかつそれらを結合手段で結合しておくことにより、噛む動作だけではなく、ちぎり動作、壊す動作等ができるペット用玩具を提供することを目的とする。
【課題を解決するための手段】
【０００６】
本発明における課題解決のための具体的手段は、次の通りである。
第１に、ペットが噛み付き可能な物体Ａを複数個の分割体Ａ１、Ａ２で構成し、各分割体Ａ１、Ａ２の分割面１ｐ、２ｐを合わせて結合する結合手段３を設けたペット用玩具であって、
前記結合手段３は、一方の分割体Ａ１の分割面１ｐと交差する外周面１ｆに設けた結合受体５と、他方の分割体Ａ２の外周面２ｆから一方の分割体Ａ１の外周に突出していて前記結合受体５と結合する結合舌片６とを有することを特徴とする。
【０００７】
第２に、前記結合受体５は一方の分割体Ａ１の表裏の外周面１ｆにそれぞれ１又は複数設けられ、前記結合舌片６は結合受体５に対向して他方の分割体Ａ２の表裏の外周面２ｆから突設されていることを特徴とする。
第３に、前記他方の分割体Ａ２の表裏各面から一方の分割体Ａ１の表裏各面に突出する取付部７が設けられ、この取付部７に複数の結合舌片６が取り付けられていることを特徴とする。
【０００８】
第４に、前記複数個の分割体Ａ１、Ａ２の少なくとも１個の内部に、外力を受けて音を発生する音発生体８が設けられていることを特徴とする。
【発明の効果】
【０００９】
本発明によれば、分離結合物体で、ペットに噛む動作だけではなく、ちぎり動作、壊す動作等を行わすことができる。
即ち、請求項１に係る発明は、結合手段３は、一方の分割体Ａ１の結合受体５と、他方の分割体Ａ２の結合舌片６とを有するので、分割体Ａ１、Ａ２を強固に結合しておくことができ、ペットが噛むだけでは分離できず、ペットにちぎり動作、壊す動作等を促すことができる。
【００１０】
請求項２に係る発明は、結合受体５は一方の分割体Ａ１の表裏の外周面１ｆにそれぞれ１又は複数設けられ、結合舌片６は結合受体５に対向して他方の分割体Ａ２の表裏の外周面２ｆから突設されているので、分割体Ａ１、Ａ２の結合に必要強度をもたせることができる。
請求項３に係る発明は、他方の分割体Ａ２の表裏各面から一方の分割体Ａ１の表裏各面に突出する取付部７が設けられ、この取付部７に複数の結合舌片６が取り付けられているので、結合舌片６を複数設ける場合にも、結合舌片６が個別にペットに噛みちぎられるのを防止できる。
【００１１】
請求項４に係る発明は、複数個の分割体Ａ１、Ａ２の少なくとも１個の内部に、外力を受けて音を発生する音発生体８が設けられているので、噛む、ちぎる、壊す等を行うときに効果音は発生できる。
【図面の簡単な説明】
【００１２】
【図１】本発明の第１実施形態を示す斜視図である。
【図２】第１実施形態の分離斜視図である。
【図３】本発明の第２実施形態を示す斜視図である。
【図４】第２実施形態の分離斜視図である。
【発明を実施するための形態】
【００１３】
以下、本発明の実施の形態を図面に基づいて説明する。
図１、２に示す第１実施形態において、ペット用玩具１は、ペットが噛み付き可能な物体Ａを中途で切断した状態の複数個の分割体Ａ１、Ａ２で構成しており、両分割体Ａ１、Ａ２はそれぞれの分割面１ｐ、２ｐを合わせて、結合手段３で結合されている。
物体Ａは、表皮布の内部に綿、繊維材等を挿入して扁平状の肉付きボーンに模して形成されたぬいぐるみ玩具であり、骨にひとかたまりの肉片が付いた形状になるように２分割されて分割体Ａ１、Ａ２を構成している。
【００１４】
分割体Ａ１、Ａ２は結合した状態で両肉片が連続する意匠になり、また、それぞれの分割面１ｐ、２ｐには肉を断面した意匠が施されている。また、複数個の分割体Ａ１、Ａ２の少なくとも１個の内部には、泣き笛、セロファン等の外力を受けて音を発生する音発生体８が設けられている。
分割体Ａ１、Ａ２は分割面１ｐ、２ｐと交差する外周面１ｆが表裏面を形成しており、この表裏面は同一又は異なる意匠が施されており、一方の分割体Ａ１の外周面１ｆの表裏面には結合受体５が設けられている。
【００１５】
この結合受体５は、鉤状とパイル状の表面を持つ２枚１組からなる面ファスナの一方が使用されており、分割体Ａ１の分割面１ｐ近傍の外周面１ｆに逢着又は接着されている。
他方の分割体Ａ２は、外周面２ｆから一方の分割体Ａ１の外周に突出していて前記結合受体５と結合する結合舌片６が設けられている。
この結合舌片６は、鉤状とパイル状の表面を持つ２枚１組からなる面ファスナの他方が使用されており、分割面２ｐと交差するように分割体Ａ２の外皮布の一部を舌状に突出し取付部７を形成し、その取付部７の裏面に逢着又は接着されている。
【００１６】
前記結合受体５は、分割体Ａ１の外周面１ｆに間隔をおいて２つ設けられ、前記結合舌片６は分割体Ａ２の取付部７の裏面に結合受体５に対向するように２つ設けられている。前記結合受体５と結合舌片６とは３つ以上でもよく、また長いものを１つでもよい。また、結合受体５を複数にし、結合舌片６を複数の結合受体５と同時に対向する長いものにしてもよい。
【００１７】
前記玩具１は、結合受体５と結合舌片６とで分割体Ａ１、Ａ２を結合して１個の肉付きボーンにした状態で犬等のペットに与えると、ペットは喜んで分割体Ａ１又は分割体Ａ２にかぶりつき、噛んだり、かじったり、手足の爪を引っ掛けたりする。
また、ペットは口及び手足を使って、一方の分割体Ａ１に噛みつきながら他方の分割体Ａ２を引っ張って、分割体Ａ１から分割体Ａ２を分離する、即ち、玩具１を引き裂いたり、壊したりする。これにより噛みちぎり感覚、壊し感覚、狩猟感覚等をペットに与えることができる。
【００１８】
さらに、ペットは口及び手足を使って、他方の分割体Ａ２の結合舌片６のみを結合受体５から剥がそうと考えることもできる。
前記玩具１が引き裂かれたり、破壊されるということは、結合手段３の結合力に抗して分割体Ａ１と分割体Ａ２とを分離することであり、結合舌片６が結合受体５から離れると
き、バリッと音がする。この音の発生も分割体Ａ１、Ａ２内部の音発生体８を鳴らすことと同様な感覚をペットに与えることができる。
【００１９】
図３、４に示す第２実施形態において、ペット用玩具２１は、ペット用玩具１と同様に物体Ａを複数個の分割体Ａ１、Ａ２で構成し、両分割体Ａ１、Ａ２を面ファスナ等の結合手段３で結合しているが、物体Ａは、表皮布の内部に綿、繊維材を挿入してパイナップルに模して形成されている。
また、結合手段３は、一方の分割体Ａ１の分割面１ｐ近傍の外周面１ｆに２つの結合受体５が離れて逢着されているのと同様に、他方の分割体Ａ２の外周面２ｆから２つの取付部７が離れて形成されかつそれぞれの裏面に結合舌片６が逢着されている。
【００２０】
玩具２１は、音発生体８を分割体Ａ１のみに内蔵しているが、分割体Ａ２にも内蔵してもよい。また、取付部７を割愛して、結合舌片６の一端を他方の分割体Ａ２の外周面２ｆに直接逢着し、結合舌片６の他端を外周面２ｆから一方の分割体Ａ１の外周に突出させる
ようにしてもよい。
なお、本発明は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
【００２１】
例えば、物体Ａは、肉無しボーン形状、鳥形状、魚形状等であってもよく、また、３分割、４分割等に分割できるようにしてもよい。
結合手段３は物体Ａの外周を結合しているが、分割面を結合する面ファスナを設けてもよい。即ち、分割面面ファスナは、一方の分割体Ａ１の分割面１ｐに１又は複数の結合受体５を逢着し、他方の分割体Ａ２の分割面２ｐに結合受体５と対向する１又は複数の結合舌片６を逢着する。
【符号の説明】
【００２２】
１        ペット用玩具
１ｆ      外周面
１ｐ      分割面
２ｆ      外周面
２ｐ      分割面
３        結合手段
５        結合受体
６        結合舌片
７        取付部
８        音発生体
２１      ペット用玩具
Ａ        物体
Ａ１      分割体
Ａ２      分割体
【図１】
2019092479.tif 000003
【図２】
2019092479.tif 000004
【図３】
2019092479.tif 000005
【図４】
2019092479.tif 000006